(57)【要約】【課題】液体内で模型金型を用いて玩具を製造する方法、及びその方法を実現するための装置を提供する。【解決手段】本発明は、水槽に一定量の水を満たす第１段階と、水槽に満たされた水にパウダー成分の物質を投入して溶解させる第２段階と、模型金型に、パウダー成分と反応することができる混合物質からなる液状絵具を満たす第３段階と、液状絵具が満たされた模型金型を水槽に浸漬する第４段階と、水槽に浸漬された模型金型を揺らして、液状絵具が凝固収縮されるようにする第５段階と、凝固収縮された玩具が模型金型から分離されて水槽内の液体に維持される第６段階とを含んでなる。【選択図】図３
2019195623.tif 000002
【特許請求の範囲】
【請求項１】
水槽に模型金型全体が浸漬できるように一定量の水を満たす第１段階と、
前記水槽に満たされた水に、パウダー成分であってアルギン酸ナトリウムとの化学作用によるゲル化程度を予想して投入量が決定される塩化カルシウムを投入して溶解させる第２段階と、
前記模型金型に、前記パウダー成分と反応することができるように水９６重量％、ＣＮＣ１重量％及びアルギン酸ナトリウム（Ｓｏｄｉｕｍ  Ａｌｇｉｎａｔｅ）３重量％の混合物質からなる、所定の色素が添加された所定の粘度の液状絵具を満たす第３段階と、
前記液状絵具が満たされた模型金型を水槽に浸漬する第４段階と、
前記水槽に浸漬された模型金型に満たされた液状絵具が凝固収縮される第５段階と、
前記凝固収縮された玩具が模型金型から分離されるように模型金型を揺らす第６段階とを含んでなり、
前記模型金型から分離された玩具は、水槽内の液体に維持されながら玩具形状を保ち、水槽から取り出せば形態が変形することを特徴とする、液体内で模型金型を用いて玩具を製造する方法。
【請求項２】
パウダー成分である塩化カルシウムの溶けた液体が満たされる水槽と、
前記水槽に浸漬されると、一定時間の後、型に合致する玩具が凝固収縮されて製造され、凝固収縮された玩具が分離されるように揺れる模型金型と、
前記模型金型に満たされるように水９６重量％、ＣＮＣ１重量％、アルギン酸ナトリウム３重量％の混合物質からなる、所定の色素が添加された、所定の粘度を有する液状絵具とを含んでなり、
前記模型金型から分離された玩具は、水槽内の液体に維持されながら玩具形状を保ち、水槽から取り出せば形態が変形することを特徴とする、液体内で模型金型を用いて玩具を製造する装置。
【発明の詳細な説明】
【技術分野】
【０００１】
本発明は、液体内で模型金型を用いて玩具を製造する方法、及びその方法を実現するための装置に関する。
【０００２】
本発明は、特に、一定成分の化学物質が含まれている液体に様々な色の液状絵具を満たした模型金型を浸せば、一定時間の後、模型金型の形状に合致する玩具が凝固して模型金型から分離され、液体内で玩具としての機能を果たすことができるようにしたものである。
【背景技術】
【０００３】
韓国特許登録第１０−０３０９１９３号は、玩具金型の製造方法に関するものであって、加工が容易な素材で模型を製作する模型製作段階と、前記模型の外表面に金粉または銀鏡が塗装されるようにする金粉または銀鏡塗装段階と、金粉または銀鏡が塗装された模型を弱酸性の金属溶液内に入れ、一定距離離隔した溶液内には前記金属溶液と同じ元素の金属片を浸しておいた状態で前記金属片を陽極に連結し、前記模型の外表面の金粉または銀鏡に陰極を連結して所定の時間反応させることにより、所定の金属イオンが金粉または銀鏡の外表面にくっ付くようにする金型形成段階と、前記金型内部の模型を分離する模型除去段階と、前記金型の外表面に金属補強剤を被覆する補強剤形成段階と、金型内の不純物を除去する不純物除去段階と、金型の内部に金属保護膜を形成する保護膜形成段階と、前記金型の内部を希酸で洗浄する酸処理段階とを含んでなり、玩具などその形状が複雑な物品もパラフィンや石膏、プラスチックなどを用いて比較的容易に模型を加工した後、このような模型上に銅イオンまたはニッケルイオンがくっ付くようにすると、複雑な形状の金型も比較的簡単な工程によって容易に製造でき、前記金型は、比較的加工が容易な素材で模型を製作するため、複雑な形状の模型も精密に加工することができ、このような模型上に金属イオンがくっ付くようにして金型が形成されるので、複雑な内部構造を持つ金型も精密に加工できるという利点がある。
【０００４】
韓国特許公開第１０−２０１０−０１１５２６７号は、図１に示すように、板状の合成樹脂発泡体を用いて製造される組立玩具用合成樹脂発泡体ブロック及びその製造方法に関するものであって、前記組立玩具用合成樹脂発泡体ブロックは、一つ以上の垂直貫通ホール１１を有し、上、下部が平面に形成され、合成樹脂発泡体からなる下部ボディ１と、前記下部ボディ１の上面に第１接着層２を介して接着され、上部には前記垂直貫通ホール１１と相応する位置に一つ以上の嵌合突部挿入溝３１が設けられ、合成樹脂発泡体からなる板状の上部ボディ３と、前記各嵌合突部挿入溝３１に第１接着層２を介して挿入される丸棒状の合成樹脂発泡体からなる嵌合突部６と、前記各貫通ホール１１と上部ボディ３の下面に設けられ、前記嵌合突部６が挿入される一つ以上の嵌合溝部５とを含んでなり、市販する板状の合成樹脂発泡体を用いて製造される組立玩具用合成垂直発泡体ブロックを提供することにより、各ブロックを組み立てる過程でそれぞれのブロックが伸縮性を持っているので、少ない力でもブロックを互いに連結して組み立てることができるようにし、これにより幼児または子供たちが容易に持って遊ぶことができるようにし、ブロック組立の際に指や爪が折れるなどの傷を予防することができる、安定性を有するブロックを提供することができるとともに、板状の合成樹脂発泡体を用いて簡単な工程でブロックの量産を可能にすることにより、安価な価格で、合成樹脂発泡体からなるブロックを消費者に供給することができる。
【０００５】
ところが、これらの従来技術は、機構的な構造を用いて玩具を製造することに関する技術であって、複雑且つ高価な装置が必要であるという欠点がある。
【先行技術文献】
【特許文献】
【０００６】
【特許文献１】韓国登録特許第１０−０３０９１９３号公報
【特許文献２】韓国特許公開第１０−２０１０−０１１５２６７号公報
【発明の概要】
【発明が解決しようとする課題】
【０００７】
本発明の目的は、一定成分の化学物質が含まれている液体に様々な色の液状絵具を満たした模型金型を浸せば、一定時間の後、模型金型の形状に合致する玩具が凝固して模型金型から分離されるようにした、液体内で模型金型を用いて玩具を製造する方法、及びその方法を実現するための装置を提供することにある。
【課題を解決するための手段】
【０００８】
上記目的を達成するのための本発明の液体内で模型金型を用いて玩具を製造する方法は、水槽に模型金型全体が浸漬できるように一定量の水を満たす第１段階と、前記水槽に満たされた水に、パウダー成分であってアルギン酸ナトリウムとの化学作用によるゲル化の程度を予想して投入量が決定される塩化カルシウムを投入して溶解させる第２段階と、前記模型金型に、前記パウダー成分と反応することができるように水９６重量％、ＣＮＣ１重量％及びアルギン酸ナトリウム（Ｓｏｄｉｕｍ  Ａｌｇｉｎａｔｅ）３重量％の混合物質からなる、所定の色素が添加された所定の粘度の液状絵具を満たす第３段階と、前記液状絵具が満たされた模型金型を水槽に浸漬する第４段階と、前記水槽に浸漬された模型金型に満たされた液状絵具が凝固収縮される第５段階と、前記凝固収縮された玩具が模型金型から分離されるように模型金型を揺らす第６段階とを含んでなり、前記模型金型から分離された玩具は、水槽内の液体に維持されながら玩具形状を保ち、水槽から取り出せば形態が変形することを特徴とする。
【０００９】
上記目的を達成するのための本発明の液体内で模型金型を用いて玩具を製造する装置は、パウダー成分である塩化カルシウムが溶解された液体が満たされる水槽と、前記水槽に浸漬されると、一定時間の後、金型に合致する玩具が凝固収縮されて製造され、凝固収縮された玩具が分離されるように揺れる模型金型と、前記模型金型に満たされるように水９６重量％、ＣＮＣ１重量％、アルギン酸ナトリウム３重量％の混合物質からなる、所定の色素が添加された、所定の粘度を有する液状絵具とからなり、前記模型金型から分離された玩具は、水槽内の液体に維持されながら玩具形状を保ち、水槽から取り出せば形態が変形することを特徴とする。
【発明の効果】
【００１０】
本発明に係る液体内で模型金型を用いて玩具を製造する方法、及びその方法を実現するための装置によれば、模型金型に液状絵具を満たし、これを液体の満たされた水槽内に浸漬すると、模型金型に合致する形状を持つ玩具が凝固製造されるため、簡単に子供たちが所望する形状の玩具を製造して遊ぶことができるという利点がある。
【図面の簡単な説明】
【００１１】
【図１】従来の玩具製造装置の構成図である。
【図２】本発明の実施形態によって液体内で模型金型を用いて玩具を製造する方法を実現するための装置の構成図である。
【図３】本発明の実施形態によって液体内で模型金型を用いて玩具を製造する方法を実現する動作フローチャートである。
【図４】本発明の実施形態によって液体内で模型金型を用いて玩具を製造する方法を実現する動作順序の例示図である。
【図５】本発明の実施形態によって液体内で模型金型を用いて玩具を製造する方法を実現する動作順序の例示図である。
【図６】本発明の実施形態によって液体内で模型金型を用いて玩具を製造する方法を実現する動作順序の例示図である。
【発明を実施するための形態】
【００１２】
以下、本発明の実施形態を添付図面を参照して詳細に説明する。
【００１３】
図２は本発明の実施形態によって液体内で模型金型を用いて玩具を製造する方法を実現するための装置の構成図、図３は本発明の実施形態によって液体内で模型金型を用いて玩具を製造する方法を実現する動作フローチャート、図４乃至図６は本発明の実施形態によって液体内で模型金型を用いて玩具を製造する方法を実現する動作順序の例示図である。
【００１４】
図２に示すように、本発明の液体内で模型金型を用いて玩具を製造する方法を実現するための装置は、水槽１０、模型金型２０および絵具３０から構成される。
【００１５】
水槽１０は、前記模型金型２０を浸漬するためのもので、所定量の水、すなわち模型金型が完全に浸漬される程度の液体１５が満たされることが良い。
【００１６】
水槽１０に満たされる液体１５は、模型金型２０が浸漬されるとき、模型金型２０に満たされた液状絵具３０が凝固するようにパウダー成分が含有される。前記パウダー成分は塩化カルシウム（ＣａＣｌ２）であり得る。
【００１７】
模型金型２０は、前記水槽１０に浸漬された状態で、満たされた液状絵具３０が凝固して分離されるようにするものであって、幼児及び子供たちだけでなく、すべての人々が持って遊ぶことができる様々な形状の玩具を製造することができるように備えられる。
【００１８】
絵具３０は、前記模型金型２０に満たされるもので、前記水槽１０に満たされた液体１５と模型金型２０に満たされた絵具３０とが互いに反応して凝固する成分で構成される。
【００１９】
好ましくは、絵具３０は、所定の色素が含まれた水９６重量％、ＣＮＣ１重量％、アルギン酸ナトリウム（Ｓｏｄｉｕｍ  Ａｇｉｎａｔｅ）３重量％で混合構成できる。
【００２０】
ＣＮＣは、今まで知られている材料の中で最も強い木から抽出された木材パルプからなるセルロースナノクリスタル（ｃｅｌｌｕｌｏｓｅ  ｎａｎｏｃｒｙｓｔａｌｓ）である。
【００２１】
アルギン酸ナトリウムは、茶色ワカメから抽出するものであって、アイスクリーム、ヨーグルト、クリーム及びチーズの安定剤として使用される。これは、サラダ、プリン、ジャム、トマトジュース及び缶詰製品のための増粘剤及び乳化剤の役割を果たし、麺、パン及び冷凍製品に対する水和剤であって、カルシウムと酸性媒質があれば弾力のあるゲルを形成する。
【００２２】
これは、球形化工程で乳酸カルシウムまたは塩化カルシウムと一緒に最も一般的に使われる。アルギン酸ナトリウムは、カルシウムのない状態でせん断増粘剤（ｓｈｅａｒ−ｔｈｉｎｎｉｎｇ  ｔｈｉｃｋｅｎｅｒ）としてカルシウムの存在下でゲル化し、乳剤または泡を安定化させ、フィルムを形成させるために用いられる。例えば、現代料理で、アルギン酸ナトリウムはカルシウム塩と一緒に使用され、口の中に液体が入っている小さなキャビア状の大きい球形を作り上げる。
【００２３】
【表１】
2019195623.tif 000003
前記実験１乃至３によれば、水９６重量％、ＣＮＣ１重量％およびアルギン酸ナトリウム３重量％を混合した絵具を、塩化カルシウム１０ｇの溶けた液体１０００ｍｌに投入した結果、ゲル化の程度が最も優れることが分かった。
【００２４】
実験１の水９０重量％、ＣＮＣ５重量％及びアルギン酸ナトリウム５重量％を混合した絵具を、塩化カルシウム１０ｇの溶けた液体１０００ｍｌに投入した結果、ゲル化の程度が悪くないが、実験３に比べて凝固の程度が低いため、玩具としての形状維持が容易ではないという結論を導出した。
【００２５】
実験２の水８５重量％、ＣＮＣ１０重量％及びアルギン酸ナトリウム５重量％を混合した絵具を、塩化カルシウム１０ｇの溶けた液体１０００ｍｌに投入した結果、ゲル化の程度が３つの実験の中で最も悪いことが分かった。
【００２６】
前記実験１乃至３はいずれも、塩化カルシウム１０ｇの溶けた液体１０００ｍｌに投入する。液体量は、玩具形状を示す模型金型のサイズを勘案したもので、模型金型が完全に浸かる程度の量と決定した。塩化カルシウムは、前記実験１乃至３に示されたアルギン酸ナトリウムとの化学作用によるゲル化の程度を予想して量を決定した。
【００２７】
次に、このような実験例を用いて、本発明の玩具が凝固製造されることを説明する。
【００２８】
水９６重量％、ＣＮＣ１重量％及びアルギン酸ナトリウム３重量％を混合して絵具３０を製造すれば、絵具３０は、粘性が生じて容易に模型金型２０から分離されるか或いは強く接着されることを防止することができる。
【００２９】
その後、例えば、塩化カルシウム１０ｇを、水槽１０内に満たされた水１０００ｍｌに溶かす。よって、水槽１０内に満たされた水は、前記混合物質成分からなる絵具３０が凝固するようにする化学成分を含有する液体１５に変化する。
【００３０】
したがって、このように変化した水槽１０内の液体１５に、上述したように製造された絵具３０を模型金型２０に満たした後で浸漬する。
【００３１】
次いで、所定の時間後、模型金型２０に満たされた絵具３０が凝固して少し収縮されるので、この時、模型金型２０をやや揺らすと、模型金型２０から玩具が分離されて液体１５内で玩具としての形状及び機能を維持する。
【００３２】
次に、このように構成された本発明の装置を用いて玩具を製造する方法について、図２および図３を参照して説明する。
【００３３】
まず、水槽１０に一定量の水を満たす（Ｓ１０）。
【００３４】
前記水槽１０に満たす水は、模型金型２０が完全に浸かる程度の量となるようにすることが良い。
【００３５】
次に、前記水槽１０に満たされた水にパウダー成分の物質を一定量投入してよく攪拌しながら溶解させる（Ｓ２０）。
【００３６】
その後、予め用意された模型金型２０に様々な色の液状絵具３０を満たす（Ｓ３０）。
【００３７】
液状絵具３０を模型金型２０に満たすことは、特定の方法に制限するのではなく、いずれの形状の模型金型２０であれ、ユーザーが所望する色の絵具３０を満たせば良い。
【００３８】
次いで、前記液状絵具３０が満たされた模型金型２０を、水槽１０に満たされた液体１５に完全に浸漬する（Ｓ４０）。
【００３９】
その後、前記模型金型２０を、水槽１０に満たされた液体１５内で左右にやや揺らす（Ｓ５０）。
【００４０】
ここで、左右にやや揺らすことは、模型金型２０に満たされた液状絵具３０が未だ凝固する前に模型金型２０から分離されることを防止するためであり、もし上下に揺らしたらその分離程度がさらにひどくなる可能性があるので、左右にやや揺らすのである。
【００４１】
また、前記模型金型２０に満たされた液状絵具３０は、水槽１０に満たされたパウダー成分の溶けた液体１５内で短時間で凝固するので、凝固した玩具３５が模型金型２０から分離されることを助けるために左右にやや揺らすのが良い。
【００４２】
次に、前記模型金型２０から凝固した玩具が分離されて水槽１０内の液体１５に維持されながら玩具形状を保つ（Ｓ６０）。
一方、上述したように凝固製造された本発明の玩具３５は、水槽１０に満たされた液体１５から分離されると、すなわち、水槽１０から取り出すと、乾燥して無くなる。したがって、本発明の方法によって製造された玩具３５は、常に水槽１０内にある状態で有効である。
【００４３】
一方、本発明は 水の96％(CAS NO.:7732-18-5), CNCの0.99％(CAS NO.:9004-65-3), Sodium Alginateの3％(CAS NO.:9005-38-3), 夜光材料の0.01％(CAS NO.:12004-37-4), 色変換材料の0.01％を混合して夜光になるようにすることができる。
【００４４】
液体内で模型金型を用いて玩具を製造する方法、及びその方法を実現するための装置の実施形態が記述された。上述した実施形態は、本発明に記述される原理を示す多くの具体的実施形態のうちの一部の実施形態を例示するものである。したがって、本発明の実施形態を利用することにより、当業者が本発明の請求の範囲によって定義された範囲内で多くの別の配列を容易に実現することができる。
【符号の説明】
【００４５】
１０    水槽
１５    液体
２０    模型金型
３０    液状絵具
３５    凝固製造された玩具
【図１】
2019195623.tif 000004
【図２】
2019195623.tif 000005
【図３】
2019195623.tif 000006
【図４】
2019195623.tif 000007
【図５】
2019195623.tif 000008
【図６】
2019195623.tif 000009